Podtech/llm-jp-corpus-v4-ja_patent huggingface dataset:
(57)【要約】【課題】高齢者の転倒防止や、アスリートのパフォーマンス向上の観点から注目されている腸腰筋群の鍛錬を、座ったままでもできる手軽な運動で可能にする安価な器具が望まれている。【解決手段】本発明に係る運動器具は、左右の足に掛ける一つの輪になった弾性環に、左右の足首に個別に括り付けるための二つのバンドを取り付けた構造を備え、本器具を装着して、片脚を伸ばし、別の片脚を胸元に引き付ける運動を行った時に、両足を前後に閉じる方向に力を生じさせることを特徴とする。【選択図】図１
2019154701.tif 000002
【特許請求の範囲】
【請求項１】
左右の脚に掛ける一つの輪になった弾性環に、左右の足首に個別に括り付けるための二つのバンドを取り付けた運動器具。
【請求項２】
片足を伸ばし、別の片足を胸元に引き付ける運動時に、両足を前後に閉じる方向に力が生じる請求項１に記載の運動器具。
【発明の詳細な説明】
【技術分野】
【０００１】
本発明は、運動器具に関する。さらに詳しくは、腸腰筋群など、歩行または走行時に脚を持ち上げる筋肉を強化する運動に関するものである。
【背景技術】
【０００２】
高齢者の転倒防止や、アスリートのパフォーマンス向上の観点から腸腰筋群の鍛錬が注目されている。これら脚を持ち上げるための筋肉を鍛えるにはライイングレッグレイズ、ニーレイズなどの運動が知られており、またこれらの運動に負荷をかけるような器具も存在する。それら本発明に関連する技術を開示する。
【先行技術文献】
【特許文献】
【０００３】
【特許文献１】特開２０１７−０００６４７
【発明の概要】
【発明が解決しようとする課題】
【０００４】
上記先行特許文献に記載の運動装置では、設置の手間か設置のスペースが発生し、複雑な機構を有するため高価なものになる。さらに家庭用の器具であれば、例えばテレビを見ながら、座椅子やソファーに座ったままでもできる手軽な運動が望ましい。
【課題を解決するための手段】
【０００５】
上記目的を達成するために、本発明の請求項１に係る運動器具は、左右の脚に掛ける一つの輪になった弾性環に、左右の足首に個別に括り付けるための二つのバンドを取り付けた構造を特徴とする。
【０００６】
本発明の請求項２に係る運動器具は、請求項１に記載の運動器具において、片脚を伸ばし、別の片脚を胸元に引き付ける運動時に、両足を前後に閉じる方向に力が生じることを特徴とする。
【発明の効果】
【０００７】
本発明は、安価な器具を用いた手軽な運動で、腸腰筋群の鍛錬において高い運動効果を実現することができる。
【図面の簡単な説明】
【０００８】
【図１】図１は、本器具の全体構造を示したものである。
【図２】図２は本器具の足への装着方法を示したものである。
【図３】図３は本器具を両足に装着し運動の準備が整った状態を示したものである。
【図４】図４は本器具での運動方法を示したものである。
【図５】図５は本器具での運動方法を示したものである。
【発明を実施するための形態】
【０００９】
本発明に係る運動器具は、左右の脚に掛ける一つの輪になった弾性環に、左右の足首に個別に括り付けるための二つのバンドを取り付けた構造を備え、本器具を装着して、片脚を伸ばし、別の片脚を胸元に引き付ける運動を行った時に、両足を前後に閉じる方向に力を生じさせることを特徴とする。
【実施例】
【００１０】
図１に示す負荷構造として使用者の両足の土踏まずの部分かける輪になったゴム等の弾性体バンド１に両足首に係止するためのバンド３を２つ備えた器具。
【００１１】
図２は両足への装着状態を示す。輪になった弾性体バンド１の太さ、長さ、及び材質の３つのパラメーターにより、異なる負荷の器具の開発が可能である。例えば高齢者向けの低張力バンド、アスリート向けの高張力バンドなど。ただし弾性体バンドが長すぎると、運動のストローク大きくないと負荷がかからないので、運動前の状態で図２に示すイメージ、即ち足幅一つ分程度の間隔で両足に装着できる程度の長さが望ましい。
【００１２】
図３は弾性体バンド１を足首に係止する構造の一例を示したものである。足首を係止するバンド３をバンド金具６に通したるみのないように面ファスナー（フック）５を面ファスナー（ループ）４に貼り付ける。足首に係止するバンド３は使用者の足の大きさの違いを吸収して、弾性体バンド１をタイトに足に装着できるように、締め付け加減の調整ができて、かつ簡単に外れない構造でなければならない。また輪になっている弾性体バンド１の周上の任意の位置に足首を係止するバンド３が移動可能なように、輪になっている弾性体バンドの周上を移動できる取り付けリング２を介して取り付ける。
【００１３】
図４は運動を行っている状態である。右足を矢印A方向に引く、すなわち胸元に引き付ける方向に動かすと同時に、左足を矢印B方向に伸ばすことにより、Cで示す矢印のように弾性体バンド１が引き延ばされ、両足を前後に閉じる方向に力が生じる。この時右脚側の腸腰筋群に運動負荷がかかる。さらに副産物として左脚の大腿四頭筋にも運動効果が生じる。また足首に係止するバンド３により、右足をA方向に引いたときに弾性体バンド１がつま先から滑り落ちるのを防止することができる。
【００１４】
図５は、図４に示す運動の左右を踏みかえたものである。運動原理は図４と同じであるが、運動の効果は左右逆転したものになる。
【００１５】
本器具を用いての運動とは、図４に示す運動と図５に示す運動とを連続的に交互に繰り返す運動となる。これにより主としての左右の腸腰筋群の鍛錬、補助として両脚の大腿四頭筋の鍛錬が可能となる。また大筋群を用いての運動となるため、主目的は筋力の鍛錬であるが、長座、もしくは椅子に座ったままできる手軽な運動でありながら、エネルギーの消費効果も期待できる。
【符号の説明】
【００１６】
１    弾性体バンド（弾性環）
２    取り付けリング
３    足首に係止するバンド
４    面ファスナー（ループ）  
５    面ファスナー（フック）
６    バンド金具
【図１】
2019154701.tif 000003
【図２】
2019154701.tif 000004
【図３】
2019154701.tif 000005
【図４】
2019154701.tif 000006
【図５】
2019154701.tif 000007
(57)【要約】【課題】太るのが嫌でダイエットをする人は多い。しかし、空腹を我慢し食事をせずにいることはつらい。これを解決するために、多様なカロリーの低い食品が市販されてはいるが、値段も市販されている食料品より高く設定されている。また、限られた保存期間内で食べることが要求されている。【解決手段】太るのが嫌で空腹を我慢し食事をせずにダイエットする人達の痩せたいと言う課題・願望を「フードペーパー」を料理の食材に取り入れることで少量の食事で満腹感を満たせる効果がある。本発明は、パルプよりなる、大きさが１０ｍｍ以下のフードペーパーである。５ｍｍ×５ｍｍ以下が好ましい。厚さは０．５ｍｍ以下が好ましい。【選択図】なし【特許請求の範囲】
【請求項１】
パルプよりなる、大きさが１０ｍｍ以下のフードペーパー
【請求項２】
厚さが０．５ｍｍ以下である請求項１に記載のフードペーパー
【発明の詳細な説明】
【技術分野】
【０００１】  本発明は、ちり紙を料理の食材にする事でダイエット食品・非常用食品・低コスト食品を目的に考案し実現した発明である。
【背景技術】
【０００２】  ちり紙を料理の食材としてミリ単位に刻み又は料理に応じて刻み方を大きくし調理することで、食べることが出来なかった、ちり紙をおいしいフードとして、食べることを発見した新しい料理の食材「フードペーパー（以降ＦＰとも言う）」を発明したもので在るである。【０００３】  この「フードペーパー」は人の体内の胃袋に入ると消化されず食材を吸収し、満腹感をもたらせる効果が在り、更に胃の中で消化されない「フードペーパー」は沢山食べても全て排便の際に、そのまま排出されるので太る心配がなく、ダィエット効果をもたらす事にも成功した今までに無かった新しい発明である。
【発明の概要】
【発明が解決しようとする課題】
【０００４】  従来の非常食は重量があり、限られた保存期間内で無いと食べることが出来ず、値段も市販されている食料品より高く設定されている。【０００５】  太るのが嫌で空腹を我慢し食事をせずにダイエットする人達の痩せたいと言う課題・願望を「フードペーパー」を料理の食材に取り入れることで少量の食事で満腹感を満たせる効果がある。
【課題を解決するための手段】
【０００６】  上記で述べた課題の全てを「フードペーパー」は解決出来るのである。ちり紙を食材にしているので、軽量で腐食しないから長期にわたり保存が出来、ちり紙が原料なので低コストで持ち運びも楽に運べる非常用食品になのである。【０００７】  上記で述べられた「フードペーパー」によるダイェット達成の手段は、「フードペーパー」が胃袋に入ると料理の食材を吸収し満腹感を感じ更に、「フードペーパ」は胃袋では消化されずそのまま排便されるので身体の体重にダイェット効果が在るのです。【０００８】  本発明は、パルプよりなる、大きさが１０ｍｍ以下のフードペーパーである。
【発明の効果】
【０００９】  上記の問題に対して、新しく進化した料理の食材「フードペーパー」は原価の安いちり紙を食材としているから低コストの値段で買えて、非常食用の食品に成り、更に食べた食材が全て排出されるのでダイェット効果が在る新しく発明された食材で在る。
【発明を実施するための形態】
【００１０】  「フードペーパー」は食品・料理全般に応用できる食材であり更にダイェットや非常用食品の分野などでは革命的に活用されることが間違いない現実にあり、この「フードーペーパー」が災害時の非常食品として認められれば、宇宙食にも応用出来ることから特許請求の範囲は人類の食文化全体に広がる発明である。
【実施例】
【００１１】  ＦＰ（フードペーパーを言う）キムチ編：「ＦＰ」をミリ単位（５ｍｍ×５ｍｍ）に刻みキムチの素をＦＰにかけて溶け込ませ、付けるだけでキムチと同じ味覚の食品に成り白菜を購入しなくても、キムチが完成し食材費が通常のキムチ価格の３分の１のコストで食べることが出来る。なお、５ｍｍ×５ｍｍ以下が好ましいが、必ずしも正方形である必要はなく、面積がこの程度以下であればよい。２ｍｍ×２ｍｍ以下であれば、食感はさらに優れたものとなる。なお、１０ｍｍ×１０ｍｍ以下の場合も多少、食感は劣るが、十分に食することが可能である。なお、厚さは０．５ｍｍ以下が好ましい。【００１２】  ＦＰレトルト食品編：カレー・シチュー・かに玉・マーボー豆腐などのレトルト調理された食材を火にかけフライパンに広げ出し適量の「ＦＰ」を入れ料理することで、具財の量が増えた料理になる。この場合の大きさは、キムチの場合と同様でよい。【００１３】  ＦＰぜんざい編：ぜんざいに「ＦＰ」を混ぜ溶け込ませるとぜんざいの汁を「ＦＰ」が吸い込みぜんざいがあんこに成り、満腹感を感じることが出来る。【００１４】  ＦＰアイス編：ミルクシェイクにコーヒーを混ぜたアイスを作る際に、ミリ単位に刻んだ「ＦＰ」を入れて冷凍させ食べても何の違和感も無く食べることができた。【００１５】  失敗例：ご飯を炊く際にＦＰを入れてみたがご飯には溶け込まず原形のままであったので食べて見たが味覚で紙の食感が残り失敗したが、おかゆにすると、優れた食感が得られた【００１６】  ＦＰスィーツ編：モンブランプリン（１００円ローソンで販売されているもの）のスィーツにＦＰ５グラムを加えてモンブランプリンと溶け合わせて食してみると、ちり紙特有のざにＦＰ５グラムを加えてモンブランプリンと溶け合わせて食してみると、ちり紙特有のざら付きを感じることなく食べることが出来、食べ終わったらご飯一膳分を食べたかのような満腹感を実感した。これでＦＰはトロミのあるスィーツの食材になることが発明された。【００１７】  ＦＰカップラーメン編：カップ麺に調味料と具材を入れ、その際にＦＰも一緒に入れスープに溶け込ませカップ麺の蓋をして熱湯の中に入れ３分経過するとＦＰはカップ麺のスープに完全に溶け込み姿かたちも無くなり、カップ麺のスープにとろみをもたらし、ひと味違う美味しいカップ麺に変身し、スープ全てを飲み干すとお腹が満腹感で満たされた。ここでＦＰに新し発見が存在していたので申し述べておく。ＦＰは熱湯に３分間つけると跡形もなく溶け込む食材で有ることを発見した。
【産業上の利用可能性】
【００１８】新しい紙の用途を提供できる。
(57)【要約】      （修正有）【課題】人がなでてあげなくても、ペット自身でなでられ感を得られるペット用品を提供する。【解決手段】ペットハウスの開口部２や筒の内側にブラシ３を設ける。ペットの体が接触することでペットがなでられ感を得る、なで部を固定又は着脱自在に設ける。【選択図】図１
2019180385.tif 000002
【特許請求の範囲】
【請求項１】
猫等のペットが入ったり通ったりするペット用品に、なで部を設けたことを特徴とするなで部付きペット用品。
【発明の詳細な説明】
【技術分野】
【０００１】  本発明は、猫等のペットが入ったり通ったりする、なで部付きペット用品に関するものである。
【背景技術】
【０００２】  従来、猫等のペットは、なでられたりするのが好きであった。
【発明の概要】
【発明が解決しようとする課題】
【０００３】  忙しくて人がなでてあげる時間がない時等は、ペットの要求に応えられなかった。
本発明は以上の問題点を解決するためになされたものである。
【課題を解決するための手段】
【０００４】  猫等のペットが入ったり通ったりするペット用品（箱やハウスやベッドや筒や枠や遊具等）の開口部、又は内外面の少なくとも一面の、全部又は一部に、ペットの体が接触することでペットがなでられ感を得る、なで部（ブラシや凹凸や面状体や回転体等）を固定して又は着脱自在に設けたものである。
【発明の効果】
【０００５】  猫等のペットが好きな時に自身でできるので、忙しくて人の手が掛けられない時に便利であり、ペットも喜ぶ。
【図面の簡単な説明】
【０００６】
【図１】  本発明の実施例１の正面図
【図２】  本発明の実施例２の一部切り欠き正面図
【図３】  本発明の実施例３の正面図
【図４】  本発明の実施例４の正面図
【図５】  本発明の実施例５の一部切り欠き正面図
【図６】  本発明の実施例６の正面図
【発明を実施するための形態】
【０００７】  以下、本発明の幾つかの実施の形態を図１〜図６に基づいて説明する。
【実施例１】
【０００８】  図１において、猫等のペットが入れる箱１の前面に猫等のペットが通れる開口部２を設け、開口部２の内周に、なで部として、ペットが通った時にペットが接触する、弾性を有するブラシ３を接着剤や両面粘着テープ等で接着固定する。【０００９】  ペットはブラシ３に体が接触して通ると、なでられ感がして気持ち良く喜ぶ。【００１０】  なお、開口部２はどこに設けても何カ所でもよく、ブラシ３も開口部２の何カ所に設けてもよく、ブラシ３を着脱自在にしてもよい。
【実施例２】
【００１１】  図２において、猫等のペットが入れる箱形のハウス４の前面と上面に開口部２を設け、それぞれの開口部２の内周に弾性を有するブラシ３を設け、ハウス４の側部にツメ研ぎ入れ５を設けて、交換可能なツメ研ぎ６を着脱自在に設けたものである。
ツメ研ぎ入れ５はハウス４に一体に固定して設けられているが、面ファスナーやスナップや磁石等で着脱自在に設けてもよく、ツメ研ぎ６を固着したものでもよい。
【実施例３】
【００１２】  図３において、猫等のペットが通り抜けられる短い筒７の内面に、弾性を有するブラシ３が設けられており、筒７の下部には筒７を安定して置くための台部８が設けられている。
人にやってもらえない時等に、ペットはブラシ３の設けられた筒７を通ることで自身でなでられ感を味わえる。【００１３】  なお、ペットが入る時に筒７がずれないように台部８を重り効果のあるものにしたり、重りを設けたりしてもよく、筒７を枠等にしてもよい。
【実施例４】
【００１４】  図４において、猫等のペットが通れる、安定して置ける筒９の内面に弾性を有するブラシ３を設ける。
筒９とブラシ３を同一素材の一体成型等にしてもよく、筒９の長さもどのようなものでもよい。【００１５】  また、筒９の胴体部分に穴等を設けてペットが穴からも出入りできるようにしてもよい。
【実施例５】
【００１６】  図５において、実施例３のものにおいて、筒７の側部に、ツメ研ぎ入れ５を台部８に延設し、ツメ研ぎ６を着脱自在に設けたものである。
【実施例６】
【００１７】  図６において、枠１０の内側に、なで部として、中心から放射状に複数の切り込み１２を入れたゴム等の弾性を有する面状体１１を設け、枠１０の下部に、安定して置くための重し効果のある台部１３を設けたものである。【００１８】  以上、幾つかの実施例を説明したが、本発明は上記実施例に限らず、箱やハウスや筒や各部分の形状や素材や大きさはどのようなものでもよく、ブラシの代わりに凹凸やマッサージ感のでる複数の球体等を設けてもよい。
また、キャットスタンドやハンモック等を設けたものでもよい。
【符号の説明】
【００１９】１        箱
２        開口部
３        ブラシ
４        ハウス
５        ツメ研ぎ入れ
６．      ツメ研ぎ
７、９    筒
８、１３  台部
１０      枠
１１      面状体
１２      切り込み
【図１】
2019180385.tif 000003
【図２】
2019180385.tif 000004
【図３】
2019180385.tif 000005
【図４】
2019180385.tif 000006
【図５】
2019180385.tif 000007
【図６】
2019180385.tif 000008
(57)【要約】 【課題】  雨漏れが少なく、しかも目障りな継目のない大胆な図柄を選択表示することができる洋傘とそれに用いる傘布を提供する。【解決手段】絵画を施した正方形の主傘布１の周縁に、無地又は模様を施した補助傘布２，３を縫成して傘布を構成し、この傘布を親骨に張設する。【選択図】図１
2019180565.tif 000002
【特許請求の範囲】
【請求項１】
絵画を施した方形の主傘布の周縁に、無地又は模様を施した補助傘布を縫成して傘布を構成し、この傘布を親骨に張設したことを特徴とする洋傘。
【請求項２】
絵画を施した方形の主傘布の周縁に、無地又は模様を施した補助傘布を縫成して傘布を構成したこと特徴とする傘布。
【発明の詳細な説明】
【技術分野】
【０００１】
本発明は、洋傘とその傘布に関するものである。
【背景技術】
【０００２】
洋傘は、図２に示すように、親骨に、親骨の本数と同数の三角小間布ａを縫成して成る傘布を張設したものであるため、縫目ｂから雨漏れする欠点があり、また傘布は三角小間布を継ぎ合わせた構成であるため、傘布の生地としては、無地か、小柄な模様のものが一般的に使用され、継目が目障りにならない図柄を選択し難いという問題があり、デザインの自由度が制約されていた。
【先行技術文献】
【特許文献】
【０００３】
【特許文献１】特開２０１６−２１４６８７号公報
【発明の概要】
【発明が解決しようとする課題】
【０００４】
そこで、本発明は、雨漏れが少なく、しかも目障りな継目のない大胆な図柄を選択表示することができる洋傘とそれに用いる傘布を提供することを課題とするものである。
【課題を解決するための手段】
【０００５】
本発明は、上記の課題を解決するためになされたもので、請求項１記載の発明は、絵画を施した方形の主傘布の周縁に、無地又は模様を施した補助傘布を縫成して傘布を構成し、この傘布を親骨に張設したことを特徴とする洋傘である。
【０００６】
請求項２記載の発明は、絵画を施した方形の主傘布の周縁に、無地又は模様を施した補助傘布を縫成して傘布を構成したこと特徴とする傘布である。
【発明の効果】
【０００７】
請求項１記載の発明によれば、洋傘を開いたとき、雨漏りを起こすおそれのある部分は、主傘布の周縁に止まり、中央部は面積の大きい縫目のない主傘布でカバーされているので、従来のように雫が顔に垂れて使用者に不快感を与えることがないという効果がある。
【０００８】
更に請求項２記載の発明の構成によれば、主傘布は、従来の三角小間布とは異なり、縫目のない面積の大きい方形(正方形または矩形)であるため、主傘布に施す絵画にはデザイン上の制約はなく、自由に大胆な絵柄を採択することができるので、人目を引く洋傘を提供することができる。従って本発明に係る洋傘は需要者の購買心を刺激して販売増大に寄与する効果がある。
【０００９】
また、主傘布は傘布の面積の大部分を占めるので、従来の三角小間布を縫成するときのように柄合わせのため、縫成に気を使うことなく、補助傘布の縫成作業を行うことができるので、縫成時間を短縮することができる。
【図面の簡単な説明】
【００１０】
【図１】本発明の実施例における傘布の平面図である。
【図２】従来の傘布の平面図である。
【発明を実施するための形態】
【００１１】
図１は、８本親骨の洋傘の場合の実施形態における傘布の平面図で、１は正方形の主傘布、２，３は補助傘布である。
【００１２】
図１に示す実施例の傘布は、８本親骨の洋傘用であるので、主傘布１は正方形のものが用いられ、４枚づつの補助布２，３は主傘布１の周囲に縫成され、傘布を構成している。
【００１３】
そして、この実施形態では、主傘布１にはデザインした絵画がプリントされ、補助傘布２，３には無地または任意の模様をプリントしたものが用いられる。
【００１４】
この傘布を洋傘の親骨に張設した場合、中央部、即ち主傘布１には縫目が全くなく、主傘布１の周囲だけに縫目４〜１１があるため縫目４〜１１から雨漏りがしても顔に雫が垂れることがなく不快な思いをすることがない。
【００１５】
そして、主傘布１は、目障りな縫目のない大きな面積を持つので、主傘布１には看者にアピールする絵画を自由に表現することにができる。従って、従来の洋傘では得られなかった注目度を得ることができる。
【００１６】
また、傘布の制作上、従来の三角小間布を縫成する場合のように、柄合わせに気を使うこと必要がないので、縫成作業時間が短縮される利点があり、デザイン上注目を浴びる洋傘を提供することができるので、需要者の購買心を刺激して販売増大に寄与する効果がある。
【００１７】
８本親骨及び１６本親骨の洋傘の場合、主傘布としては正方形のものが使用されるが、６本親骨の洋傘の場合は主傘布として矩形のものが用いられる。主傘布がこのように方形であるので、主傘布１の絵画のプリント作業が容易で量産に適しており、産業上洋傘の構造として有用な発明である。
【符号の説明】
【００１８】
ａ          三角小間布
ｂ          縫目
１          主傘布
２，３      補助傘布
４〜１１    縫目
【図１】
2019180565.tif 000003
【図２】
2019180565.tif 000004
(57)【要約】 【課題】  プロ級の炒め物を得ることができる蓋付きフライパンを提供する。【解決手段】  フライパン本体１と、フライパン蓋６とから成り、前記フライパン本体１の前方の縁にコ状の引掛部３を、後方の把手２を設けた側の縁に軸取付部４を設ける。フライパン蓋６は、天井の高いドーム状のものとし、フライパン蓋６の外縁には前記引掛部３と係合するフランジ６ｃを設ける。また、前記フランジ６ｃに前記軸取付部４と対応する軸孔７を設け、前記軸孔７に挿通した蝶ボルト８を軸取付部４に設けた雌ねじ５を螺合する。【選択図】図２
2019180763.tif 000002
【特許請求の範囲】
【請求項１】
フライパン本体と、フライパン蓋とを備え、前記フライパン本体は、前方の縁に引掛部を、後方の把手を設けた側の縁に軸取付部を設けてあり、前記フライパン蓋は、天井の高いドーム状のものとし、且つ外縁に前記引掛部と係合するフランジを設けると共に、該フランジに前記軸取付部と対応する軸孔を設け、該軸孔に挿通し、前記軸取付部に軸機能を有する蝶ボルトを螺合したことを特徴とする蓋付きフライパン。
【発明の詳細な説明】
【技術分野】
【０００１】
本発明は、蓋付きフライパンに関するものである。
【背景技術】
【０００２】
現在、種々の蓋付きフライパンが市販されているが、何れも蓋は天井の低い薄い形状のものである。これらの蓋は、熱の放出や水分の放出を抑えて煮物や炒め物の煮沸効果を高める上で有効であるが、あおりが上手くできないという問題があった。
【０００３】
美味しい炒め物を作るには、食材を良くかき混ぜ乍ら、食材に満遍無く火を通す必要がある。通常、食材のかき混ぜは、料理用へらを用いて行っているが、食材の混ざりが悪く、食材への火の通りにムラができ、食感の良い炒め物が得られない。プロの料理人の場合、蓋をしないでフライパンをあおって、食材をこぼすことなく食材を混ぜたり、ひっくり返して、満遍無く、食材に火を通し混ぜ合わせ、美味しい炒め物を作ることができるが、一般人の場合は、食材をこぼすことなくフライパンをあおることは難しい。
【０００４】
そこで、一般人は、通常、蓋をした状態であおりを行うことが多いが、前記のように、市販の蓋付きフライパンの蓋の天井が低いので上手くあおりの効果が得られない。
【０００５】
また、あおりが上手くできないため、食材の混ざりが悪いばかりでなく、火の通りにムラができ、美味しい炒め物を作ることができない。食材の混ざりを良くしようとすると、調理に時間がかかり、加熱時間が長くなるため、炒め過ぎによりより、更に食感を悪くしてしまう。
【先行技術文献】
【特許文献】
【０００６】
【特許文献１】特開２０１２−２４３２１号公報
【発明の概要】
【発明が解決しようとする課題】
【０００７】
そこで、本発明は、プロ級の炒め物を得ることができる蓋付きフライパンを提供することを課題とするものである。
【課題を解決するための手段】
【０００８】
本発明は、上記の課題を解決するためになされたもので、請求項１記載の発明は、フライパン本体と、フライパン蓋とを備え、前記フライパン本体は、前方の縁に引掛部を、後方の把手を設けた側の縁に軸取付部を設けてあり、前記フライパン蓋は、天井の高いドーム状のものとし、且つ外縁に前記引掛部と係合するフランジを設けると共に、該フランジに前記軸取付部と対応する軸孔を設け、該軸孔に挿通し、前記軸取付部に軸機能を有する蝶ボルトを螺合したことを特徴とする蓋付きフライパンである。
【発明の効果】
【０００９】
請求項１記載の発明によれば、フライパン蓋を閉じた状態で蝶ボルトを緩めれば、フライパン蓋は蝶ボルトを軸として回動可能になり、開くことができるので、料理の具材を出し入れすることができる。そして、フライパン蓋を回動して閉じると、フライパン蓋に設けたフランジの前縁が引掛部と係合し、蝶ボルトを緊めることにより、フライパン蓋はフライパン本体に固定される。従って、把手を持ってあおり動作をしてもフライパン蓋はフライパン本体から外れることはなく、具材がこぼれることもない。
【００１０】
また、このあおり操作をしたとき、フライパン本体内部の具材は、従来のフライパン蓋を用いた場合とは異なり、フライパン蓋はドーム状であるから、具材をフライパン本体から外に出すことなく上方に飛散させ、具材をよく混ぜ合わせると共に、具材の芯まで火が通り、均一に料理を仕上げることができる。
【００１１】
また、蝶ボルトを緩めて、フライパン蓋を開き、蝶ボルトを締めれば、フライパン蓋を開いた状態に固定されるので、片手で料理を皿に盛り付けることができる。
【図面の簡単な説明】
【００１２】
【図１】本発明の実施形態の平面図である。
【図２】本発明の実施形態の係合部の構造を示す一部截断側面図である。
【発明を実施するための形態】
【００１３】
図1は、本発明にかかる実施形態の平面図、図２はその係合部の構造を示し、１はフライパン本体、２は把手、３は前方の縁に設けた断面コ状の引掛部、４は前記把手２を設けた側の後方の縁に設けた雌ねじ５を設けた軸取付部、６は内部を透過可能の構造をしている天井の高いドーム状のフライパン蓋である。本実施形態では、フライパン蓋６は、外周部６ａを耐熱性プラスチック製のものとし、中心部６ｂを透明ガラス製あるいは透明耐熱性プラスチック製としたものであるが、全体を透明ガラス製又は耐熱性透明プラスチック製のものとしてもよい。
【００１４】
そして、前記フライパン蓋６の外縁には、前記引掛部３と係合するフランジ６ｃを備えている。また、軸取付部４と対応する部分に透孔７を設け、この透孔７に蝶ボルト８を挿通して軸取付部４の雌ねじ５に螺合させる。
【００１５】
以上のように構成されているので、蝶ボルト８を緩めると、フライパン蓋６を横にスライドさせて開くことができる。また、蝶ボルト８を締めることにより、開いた位置に固定することができる。従って具材の投入、並びに皿への盛り付けを片手で行うことができる。
【００１６】
そして、フライパン蓋６を閉じた状態では、フライパン蓋６は、フライパン本体１と一体となるため、炒め物を作る場合、あおり操作の際、フライパン本体１の上方に閉鎖された天井の高いドーム状の空間が形成されているので、具材をフライパン本体１の外に飛散させることなく、具材をひっくり返して、満遍無く、食材に火（熱）を通し乍ら混ぜ合わせることができるので、プロ級の美味しい炒め物を作ることができる。
【００１７】
なお、引掛部３を設ける数及び設ける位置並びに軸取付部４を設ける位置は、図示の実施形態のみに限定されるものでないことは勿論である。また、フライパン本体１の材料については、最近の技術では薄いもの、例えば１〜２ｍｍ厚のものも鋳造可能となっているので鉄鋳物が好ましい。
【符号の説明】
【００１８】
１      フライパン本体
２      把手
３      引掛部
４      軸取付部
５      雌ねじ
６      フライパン蓋
６ａ    外周
６ｂ    中心部
６ｃ    フランジ
７      透孔
８      蝶ボルト
【図１】
2019180763.tif 000003
【図２】
2019180763.tif 000004
(57)【要約】      （修正有）【課題】食品スーパーや惣菜専門店などで惣菜を取り分ける際の、衛生面に不安を感じさせなく、誰でも容易に着脱できる使い捨て取り分け用トングカバーを提供する。【解決手段】取り分け用トングの先端が入る為の２つの突起１と親指にあたる部分に親指が入る突起２をもたせた形態であり、手を差し入れる部分は開口部３を有し、使用時は親指が入る突起の部分に親指を差し込んで使用することによりカバーの滑り落ち防止の効果あり、左右どちらの手も使用でき、一回、一回新しいカバーを誰でもが簡単に着脱可能であり、衛生面を改善し、消費者の不安を取り除く事ができる、使い捨て取り分け用のトングカバー。【選択図】図１
2019077976.tif 000002
【特許請求の範囲】
【請求項１】
それは  すでに料理用などの使い切り手袋にあるような食品衛生法に適合した素材を使用し２枚重ねて次に述べるような形態に貼り合わせ袋状にしたものである。  開いている状態の取り分け用トングの先端が入る為の２つの突起（１）と親指にあたる部分に親指が入る突起（２）を設けた形態であり、手を差し入れる部分は貼り合わせず開けておく（３）  使用時は親指が入る突起の部分に親指を差し込んで使用することによりカバーの滑り落ちを防ぐ効果を持つ  左右どちらの手も使用できる
本発明は以上のような取り分け用トングの先端が入る為の２つの突起（１）と滑り落ち防ぐ効果の親指の入る突起（２）を設け親指を差し入れて使用するトングと手全体を覆う形態を特徴とした使い捨て取り分け用トングカバーである。
【発明の詳細な説明】
【技術分野】
【０００１】本発明は食品スーパーや惣菜専門店などで惣菜を取り分ける際の  取り分け用トングと手全体を覆い  滑り止め効果のある親指付き  誰でも容易に着脱できる使い捨て取り分け用トングカバーに関するものである。
【背景技術】
【０００２】従来、食品スーパーや惣菜専門店などでは消費者が取り分け用のトングをつかい必要な量の惣菜を取り分けるという販売方法があるがその際取り分け用のトングは専用のトング掛けに数点用意されていて  不特定多数の人が同じ取り分け用トングを使って取り分けていたが衛生的な問題があった。そのため店では２時間に１回変えるなどの方法で時間も労力もかけ対処し努力していたが  近年０１５７などの深刻な問題も起きている為、心配もありストレスであった  又消費者も不特定多数の人が使う取り分け用のトングの衛生面に不安を感じていた。
【先行技術文献】
【特許文献】
【０００３】
【特許文献１】
【発明の概要】
【発明が解決しようとする課題】
【０００４】これは次のような欠点があった。
（イ）  食品スーパーや惣菜専門店などでは消費者が取り分け用のトングをつかい必要な量の惣菜を取り分けるという販売方法があるが  不特定多数の人が同じ取り分け用トングを使用しなければならず衛生面の問題があり  そのため店では２時間に１回変えるなどの方法で対処し時間も労力もかかっていた。
（ロ）  近年０１５７などの深刻な問題も起きている為、衛生面の心配がいつもありストレスになっていた。
（ハ）  消費者にとって不特定多数の人が使う取り分け用のトングは衛生面に不安を感じていた。
【課題を解決する為の手段】
【０００５】それは  すでに料理用使い切り手袋にあるような食品衛生法に適合した素材を使用し２枚重ねて次に述べるような形態に貼り合わせ袋状にしたものである。  開いている状態の取り分け用トングの先端が入る為の２つの突起（１）と親指にあたる部分に親指が入る突起（２）をもたせた形態であり、手を差し入れる部分は貼り合わせず開けておく（３）  使用時は親指が入る突起の部分に親指を差し込んで使用することによりカバーの滑り落ちを防ぐ効果があり  左右どちらの手も使用できる
本発明は以上のような取り分け用トングの先端が入る為の２つの突起（１）と親指にあたる部分に親指が入る滑り落ち防止の突起（２）を設けた  取り分け用トングを持ったまま手を差し入れ  親指は親指用突起に差し入れて使用するトングと手全体を覆う形態の使い捨て取り分け用トングカバーである。
【発明の効果】
【０００６】（イ）  食品スーパーや惣菜専門店などでは消費者が取り分け用のトングをつかい必要な量の惣菜を取り分けるという販売方法があるが  不特定多数の人が同じ取り分け用トングをつかっていて衛生的に問題があった。そのため店では２時間に１回変えるなどの方法で時間も労力もかけ努力し対処していたが面倒であった  本取り分け用トングカバーは消費者自身が着脱するものであり手間もなく面倒もなくなる。
（イ）  店では衛生に気を配り２時間に１回変えるなどの方法で時間も労力かけ対処していたが  近年０１５７などの深刻な問題も起きている為、衛生面の心配がいつもありストレスであった。本取り分け用トングカバーは使う人の手まで包み込むものであり、使い捨てであることから非常に衛生的でありストレスがなくなる。
（ロ）  消費者にとっては不特定多数の人が使用する取り分け用のトングは衛生面に不安を感じるものであったが、トングと持つ手全体を覆い  又、一回  一回新しいカバーに交換できることにより衛生面の不安を解消できる。
【図面の簡単な説明】
【０００７】
【図１】本発明のトングカバーとトングとの関係図である。
【図２】本発明の全体図である。
【図３】本発明の使用説明図である。
【発明の実施をする為の形態】
【０００８】以下、発明を実施する為の形態について説明する。
それは  すでに料理用使い切り手袋にあるような食品衛生法に適合した素材を使用し２枚重ねて次に述べるような形態に貼り合わせ袋状にしたものである  開いている状態の取り分け用トングの先端が入る為の２つの突起（１）と親指にあたる部分に親指が入る突起（２）をもたせた形態であり、手を差し入れる部分は貼り合わせず開けておく（３）  使用時は親指が入る突起の部分に親指を差し込んで使用することによりカバーの滑り落ちを防ぐ効果あり  左右どちらの手も使用できる
本発明は以上のような取り分け用トングの先端が入る為の２つの突起（１）と親指にあたる部分に滑り落ち防止効果のある親指が入る突起（２）を設けた  取り分け用トングを持ったまま手を差し入れる事ができトングと持った手全体を覆う  誰でも容易に着脱できる形態の使い捨て取り分け用トングカバーである。
【符号の説明】
【０００９】１    取り分け用トングの先端が入る突起
２    親指が入る突起
３    手を差し入れる部分は貼り合わせず開けておく
【図１】
2019077976.tif 000003
【図２】
2019077976.tif 000004
【図３】
2019077976.tif 000005
(57)【要約】      （修正有）【課題】従来のポケットテイシュ詰替箱は押し上げスプリングが蛇腹状であるため組立方法が非常に複雑で時間がかかりすぎる上に、押し上げ圧力が強すぎテイシュが取り出しにくくあまり普及しなかった。以上を解決する詰替箱を供給する。【解決手段】スプリング１４をＺ形に折り込み、ポケットテイシュ詰替箱の底部に入れ、その上にポケットテイシュ１３を入れ、ポケットテイシュ詰替箱の側面を３−４−５の順で閉じ、上部の開口部２よりテイシュを取り出す。【選択図】図７
2019077497.tif 000002
【特許請求の範囲】
【請求項１】
ポケットテイシュ詰替箱の本体にＺ形のスプリングを横から挿入し、その上にポケットテイシュをのせて、Ｚ形スプリングの押し上げ圧力で箱の上部の開口部からテイシュを取り出すポケットテイシュ詰替箱
【請求項２】
上記詰替箱とスプリングを起こす。スプリングは図５のように９と１０の間の罫線を内側に折り込みＺ形にすることにより、押し上げ圧力が適性となり、復元力も十分ある弾性体である。
【請求項３】
上記詰替箱の表面に広告宣伝用、及び犯罪防止等の内容を記載した文字、図形、写真等を印刷して成る請求項１及び請求項２記載のポケットテイシュ詰替箱
【発明の詳細な説明】
【技術分野】
【０００１】本発明はポケットテイシュを利用しやすくするための詰替箱と、そのテイシュを連続的に取り出すための押し上げスプリングに関するものである。
【背景技術】
【０００２】従来のポケットテイシュ詰替箱は複数のポケットテイシュを収納し上部の取り出し口より順次取り出すようにした詰め替え容器の底面にポケットテイシュの減少に応じポケットテイシュを押し上げる蛇腹状のスプリングを取り付けている。【０００３】このスプリング構造のため詰替箱にポケットテイシュを複数枚数を収納した場合、押し上げ圧力が強くなりすぎ、ポケットテイシュを取り出しにくくなっていた。
（特許分献１）【０００４】このスプリングは蛇腹構造のため罫線が非常に多く、組み立て方法が非常に複雑で時間がかかり過ぎるため、ほとんど普及しなかった。
【先行技術文献】
【特許分献】
【０００５】
【特許文献１】登録実用新案第３０２７５８７号公報
【発明の概要】
【発明が解決しようとする課題】
【０００６】このスプリングは構造上、組み立て方法が非常に繁雑で時間がかかり過ぎるのと、複数枚数を詰替箱に収納した場合、押し上げ圧力が強すぎてテイシュを取り出しにくかった。さらにスプリングの押し上げ圧力が強いため箱の高さが必要となってしまい一般のテイシュペーパーの箱と同じ高さになってしまった。このため外観的にアンバランスな箱になってしまい、家庭や職場に放置されているポケットテイシュを再利用するという目的を達成することができなかった。
【課題を解決するための手段】
【０００７】この課題を解決するため、スプリングをＺ形にした。このＺ形の形状はいままでの蛇腹構造と比較すると罫線が半分であり組立てが非常に簡単である。押し上げ圧力もＺ形にした場合は、蛇腹構造に比較して７５％ほどであり、ポケットテイシュを複数枚数（２−３枚）収納しても押し出し圧力は強くなりすぎず、テイシュが取り出しやすくなった。【０００８】スプリングをＺ形にすることで組立てが非常に簡単になった。図５のように指かけ部１１を上下に引張り９と１０の間の罫線を内側に折り込むだけでＺ形になる。【０００９】スプリングの押し上げ圧力が強すぎないため、図７のようにポケットテイシュを複数枚数収納しても詰替箱の高さを１０ｍ／ｍ低くすることができ箱のバランスが良くなった。
【発明の効果】
【００１０】上述のようにスプリングがＺ形になったため、組立てが容易になり詰替箱の高さが１０ｍ／ｍ低くなったため、狭い場所での使用が十分可能になり、車内での使用が十分期待できる。【００１１】詰替箱の高さが１０ｍ／ｍ低くなり、一般のテイシュペーパー箱とほぼ同じバランスとなったために圧追感がなくなり、持ち運びが可能になったため、バッグ等に入れ携帯用としての普及も期待できる。
【図面の簡単な説明】
【００１２】
【図１】本発明に係るポケットテイシュ詰替箱の展開図面
【図２】Ｚ形スプリングの展開図面
【図３】ポケットテイシュ詰替箱の折り畳み図
【図４】Ｚ形スプリングの折り畳み図
【図５】Ｚ形スプリングの斜線図
【図６】Ｚ形スプリングの斜視図
【図７】全体図
【発明を実施するための形態】
【００１３】テイシュペーパー詰替箱の片面を閉じ、スプリングをＺ形に折り込み、詰替箱の底部に入れその上にテイシュペーパーを入れ箱の側面を閉じる。この方法により詰替箱の上部の開口部よりテイシュペーパーを取り出すことができる。
【実施例】
【００１４】以下添付図面７に従って説明する。
Ａはポケットテイシュ詰替箱本体、２は詰替箱の開口部、３、４  ５は側面の開閉部  １４はＺ形スプリング、１３はポケットテイシュである。【００１５】ポケットテイシュ詰替箱をたたんだ状態から罫線を折り曲げて、箱を起こし片側の側面を３−４−５の順で閉じる。次にＺ形スプリングの指かけ部分１１を上下にひっぱり、図５のように９と１０の間の罫線を内側に折り込むとＺ形になり詰替箱の底部に入れる。その上にポケットテイシュ１３を入れもう片側の側面を３−４−５の順で閉じる。【００１６】本発明の一実施例は上記のようなものであるが、必要な印刷を施せば企業の広告になり、必要な場所におけば振り込めサギ、悪質商法等の防止に役立つ。
【図１】
2019077497.tif 000003
【図２】
2019077497.tif 000004
【図３】
2019077497.tif 000005
【図４】
2019077497.tif 000006
【図５】
2019077497.tif 000007
【図６】
2019077497.tif 000008
【図７】
2019077497.tif 000009
(57)【要約】      （修正有）【課題】ホームセンター、スーパーなどでお客が袋詰め台で購入品を袋詰めすることを不要とする。【解決手段】レジでレジ担当者はお客が持ってきたお買い物かごの商品をレジを打ちながら別のかごにいれ、レジ袋と一緒にお客に渡す。レジ担当者がお客の購入した商品を別のかごに入れるときに、別のかごにレジ袋を固定金具で固定することにより、袋詰めが自動的になされお客に渡すことが出来、これによりお客は袋詰めの必要がなくなる【選択図】図２
2019077500.tif 000002
【特許請求の範囲】
【請求項１】
ホームセンター  スーパーなどで買い物客の商品の袋詰め作業を買い物かごにレジ袋を広げ  またはレジ袋を広げ固定金具またはクリップなどで固定し  商品の袋詰めを営業行為として行うこと
【請求項２】
ホームセンター  スーパーなどで買い物客の商品の袋詰め作業をラックにレジ袋をかけ固定して商品の袋詰めを営業行為として行うこと
【請求項３】
ホームセンター  スーパーなどで買い物客の商品の袋詰め作業をレジ袋の取っ手部分の片方または両方をフックに掛け商品の袋詰めを営業行為として行うこと
【発明の詳細な説明】
【技術分野】本発明はホームセンター  スーパーなどで買い物品のレジ袋への袋詰めに関するものである
【背景技術】
【０００１】従来また現在はホームセンター  スーパーなどで買い物客はレジで  レジ担当者がレジ打ちの後  別の買い物かごに入れられた商品と一緒にレジ袋を渡され  袋詰め台で袋詰めをしている
これをレジでレジ打ちと同時にレジ担当者が袋詰めを行いお客に渡す
これによりお客の袋詰め作業を不要にする【０００２】
【先行技術文献】
【特許文献】
【０００３】
【特許文献１】
【０００４】
【非特許文献１】
【発明の概要】
【発明が解決しようとする課題】現在、ホームセンター  スーパー等では  お客はレジ打ちが終わった後  かごに入った買い物品と一緒にレジ袋を渡され  お客自身が袋詰めをしている  お客は買い物の最中に重い  硬いものを下に  上に軟らかいパン等をかごに入れてレジに持ってくる  レジ担当者はレジ打ちしながら上の軟らかい商品を手元に置きかごの底にキャベツ牛乳果実パックなど重い硬いものを最初に入れて行き  最後にパン等軟らかいものを置きレジ袋を添えかごをお客に渡す
お客は袋詰め台にかごを持って行き  上の軟らかいものを先に取り出し  底のキャベツ  ジャガイモ  白菜等重い硬いものをレジ袋に先に入れ順次軟らかいものを入れ封をする
このお客の袋詰め作業をレジでレジ担当者が行うことにある
【課題を解決するための手段】
【０００５】レジ担当者はお客が持ってきた  かごの商品をレジを打ちながらお客に渡す別のかごに入れる  この時  かごの中にレジ袋を広げて入れておき商品を入れていく  ただレジ袋を広げただけでは商品を入れるとレジ袋は下にずり落ち袋詰め作業にならない
レジ袋の取って部分の反対のテープで袋止めをする部分を持ち広げかごの２本の取っ手の間のかごのふちに置き  両方２個の袋固定金具を上から置きレジ袋を固定して  かごの中に商品を入れ客にそのかごを渡す
これによりお客は袋詰めを行う必要が不要になる
【発明の効果】現在レジ担当者がお客の持ってきた商品をレジ打ちしながら別のかごに重い硬いキャベツ等を底に入れ順次軟らかいものを上に置きレジ袋を添えてお客に渡す  お客はかごを袋詰め台に持っていき  上の軟らかいパン等を取り出し底の重い硬いキャベツ等を先にレジ袋に入れレジ担当者のかご詰めの反対のことを行う必要が不要になる    レジ担当者がレジ袋を広げたかごに商品を入れることにより  袋詰めが完了する
【図面の簡単な説明】
【図１】固定金具の実寸図である  Ａ面の内側には固定金具をかごに固定するためのステーがありＢ面Ｃ面の内側にはすべり止めのゴムが貼ってある
【図２】固定金具をかごに設置する位置を示す図である
【図３】レジ袋を広げ袋の取っ手を両方のフックに掛け  商品を入れるラックで下部には商品が飛び出さないように  四方に防止板がある
【発明を実施するための形態】
【実施例１】当発明はホームセンター  スーパーでのお客の袋詰めを不要にすることにある  そのためにはレジでレジ担当者がレジを打ちながら同時に袋詰めすることである  ［図２］のかご図のＡ側にレジ袋の取っ手がくるように袋を広げＢ側に袋の端を固定金具で固定する  商品の詰め込みが終了したら２個の固定金具を取り  かごをお客に渡す  これは商品をかご一杯にしてくるお客に有効で  商品点数が少ない場合は臨機応変に手詰めの袋詰めで対応し  大きな商品は従来どおりシール添付で対応する  これでお客の袋詰めは不要になり  企業はサービス向上の効果がある
【実施例２】
【産業上の利用可能性】
【符号の説明】［図１］  固定金具の実寸図でＡ面の内側には半円形のステーがあり固定金具をかごのふちに固定する役目をするステーのあるほうが  かごの外側にくる  Ｂ面Ｃ面の内側にはすべり止めのゴムが貼ってある
［図２］  買い物かごに固定金具  ２個の設置位置を表す
［図３］  買い物かごを広げレジ袋の取っ手を両方のフックに掛け商品を入れるラックで下部には商品の飛び出しを防ぐ防止板が四方にある
【図１】
2019077500.tif 000003
【図２】
2019077500.tif 000004
【図３】
2019077500.tif 000005
(57)【要約】      （修正有）【課題】オートバイを自立保管させるためにサイドスタンドを使用するが簡単な構造であるので大きな揺れや振動で傾けている反対方向への倒れ、起き上がりによるサイドスタンドのロック機構が解除によるオートバイの転倒が起き車体が損傷してしまう等の従来の問題点を解消することができる転倒防止スタンドを提供する。【解決手段】オートバイがサイドスタンドと反対方向に傾くことを防ぐスタンドをオートバイに取り付けることにより転倒防止することができる。【選択図】図１
2019077429.tif 000002
【特許請求の範囲】
【請求項１】
サイドスタンドを使用したオートバイの下部の部品にスタンド図面の（１）を固定することによって斜めに自立していたオートバイの起き上がりを防ぐスタンド。
【請求項２】
図面の（２）の機構を使用して高さ調整、角度調整をすることで多種類のオートバイの形状に図面の（１）が固定できるようにするスタンド
【請求項３】
図面の（３）を使用してオートバイとの位置関係をロックすることにより隙間やずれが生じないようにするスタンド。
【発明の詳細な説明】
【技術分野】
【０００１】  本発明は、オートバイの下部に構成されている部品例えばアンダーフレームやアンダーカウルに装着することで、地震による震動でオートバイが起き上がりを起こすことによる転倒を防止するものである
【背景技術】
【０００２】  オートバイを自立保管させるためにサイドスタンドといわれるオートバイを傾けて１本の棒により支持するタイプがある。簡単な構造であるので大きな揺れや振動で傾けている反対方向への倒れや起き上がりによるサイドスタンドのロック機構が解除されてオートバイの転倒が起き車体が損傷してしまう。
【先行技術文献】
【０００３】  なし
【発明の概要】
【発明が解決しようとする課題】
【０００４】  オートバイを転倒防止させるためには今まではオートバイを自立させる道具オートバイ用センタースタンドの使用や柱やアンカーフックなどを使用してサイドスタンドと同方向にひもや縄で引っ張り起き上がりを防止させていた。その手段は保管スペースの問題や大掛かりな作業や力が必要である。さらに、オートバイの種類によってはオートバイ用センタースタンド使用が困難なものや縄類での力を加える方向、力加減、場所などが制限され熟練された知識を要求される。【０００５】  本発明は、場所をとらず簡単に取り付けられサイドスタンドで支えられている多種類のオートバイに対応できる設計となっている。
【課題を解決するための手段】
【０００６】  本発明のスタンドは多種類のオートバイアンダーフレーム、アンダーカウルの地上高の違いに対応できるよう設置角度、高さを調整できる構造になっている。車体の起き上がりの時本発明が車体と隙間やズレが生じないよう車体にフィットする装置が設けられている。
【発明の効果】
【０００７】  本発明は多種類のオートバイに使用でき装着する手間が少なくコンパクトな設計をしている。場所を選ばず老若男女が簡単に使用できるので世界で地震によって転倒するオートバイの数を減らすことができる。又使用によっては販売店などでディスプレーオートバイに装着すればオートバイが固定されているので了解無くまたがる購買者や子供が乗ってしまう場合などの危険行動を回避できる。
【図面の簡単な説明】
【０００８】
【図１】本発明の側面図である
【図２】本発明の高さと角度を調整したときの側面図である
【図３】本発明をオートバイに取り付けたときの全体図である
【図４】本発明とオートバイの接地面と固定の拡大図である
【発明を実施するための形態】
【０００９】  図１は本発明の側面図である。１はオートバイと接するプレートである。２は長さを変えられるプレートである。３はオートバイの車体に固定し本発明スタンドとオートバイがズレや隙間を空けないようにする。４は本発明スタンドの角度を表している。
【００１０】  図２は２のプレートを短くしたときの本発明スタンドの側面図である。２のプレートを短くしたことにより本発明スタンドの高さと４の角度が変更される。これによりオートバイの下部の部品の地上高の違いがあっても対応できるようになっている。
【００１１】  図３の５はオートバイを表している。６はオートバイのサイドスタンドである。本発明スタンドはオートバイのサイドスタンドの反対方向から固定している。図４は固定している部位の拡大図である。７はオートバイとプレート１の設置箇所である。これによりオートバイはサイドスタンドの反対方向に起き上がろうとしても起き上がることができない。しかしオートバイは重量があるので地震などの揺さぶりで本発明スタンドとオートバイの設置箇所７が離れる可能性がある。そのため３をオートバイの構成パーツにつなぐことで回避できる。
【符号の説明】１  オートバイとの設置プレート
２  角度、高さ調整プレート
３  オートバイ固定ワイヤー
５  オートバイ
６  オートバイサイドスタンド
【図１】
2019077429.tif 000003
【図２】
2019077429.tif 000004
【図３】
2019077429.tif 000005
【図４】
2019077429.tif 000006